(57)【要約】      （修正有）【課題】裁断面を綺麗に仕上げることができ、裁断刃の耐久性を向上させることができると共に、その作業性を良好とし高速動作も可能となる製本用断裁機を提供する。【解決手段】水平方向に横臥した状態で搬送され本の裁断を行う裁断部１８を有し、裁断部１８は、本の搬送と一緒にその搬送方向に移動すると共に下降する上下移動部８２を備えて、上下移動部８２に本の裁断付近を上から押える押さえ９２と、本の裁断を行う裁断刃９０が取付けられている。本を搬送しながら押さえ９２が下降して本の裁断付近を上から押えると共に裁断刃９０が下降して裁断を行う。【選択図】図６Ａ
2005219168.tif 000002
【特許請求の範囲】
【請求項１】
本を搬送する搬送部と、搬送部で搬送される本の裁断を行う裁断部とを有する製本用断裁機において、
前記裁断部は、本の搬送と一緒にその搬送方向に移動すると共に本に接近する移動部を備えて、移動部に本の裁断付近を押える押さえと、本の裁断を行う裁断刃とが取付けられて、本を搬送しながら押さえが本の裁断付近を押えると共に裁断刃が裁断を行うことを特徴とする製本用断裁機。
【請求項２】
前記搬送部は、本を水平方向に横臥した状態で水平方向に搬送しており、前記移動部は、本に上方から接近し、押さえが本を上方から押さえると共に裁断刃が下降して裁断を行うことを特徴とする請求項１記載の製本用断裁機。
【請求項３】
前記裁断刃は揺動しながら下降することを特徴とする請求項２記載の製本用断裁機。
【請求項４】
前記移動部は、本の搬送と一緒にその搬送方向に移動する水平移動部と、該水平移動部に対して相対的に鉛直方向に移動可能となって裁断刃及び押さえを下降させる上下移動部とからなり、水平移動部には裁断刃の移動を誘導するガイド部が固定されており、該ガイド部によって裁断刃が鉛直方向に対して角度を持って下降することを特徴とする請求項３記載の製本用断裁機。
【請求項５】
前記本は本文に表紙が取り付けられており、前記裁断部の手前で表紙を開く表紙開き部がさらに設けられており、表紙開き部は、表表紙と裏表紙をそれぞれ上下に開き、前記裁断刃は本文の小口を裁断することを特徴とする請求項２ないし４のいずれか１項に記載の製本用断裁機。
【請求項６】
前記表紙開き部は、本の搬送と一緒にその搬送方向に移動する水平移動部を有しており、水平移動部には表表紙と裏表紙を吸引してそれぞれ本文から離反する方向に移動させる吸引部材が取付けられることを特徴とする請求項５記載の製本用断裁機。
【発明の詳細な説明】
【技術分野】
【０００１】
本発明は、製本作業で行われる小口切り、天地切り、雁垂れ用の前小口切り、スプリッタ等の本の断裁を行う製本用断裁機に関する。
【背景技術】
【０００２】
この種の製本用断裁機として小口切り断裁機を例に取ると、特開２００２−１２７６３７号公報（特許文献１）に記載されたものが知られている。
【０００３】
この公報に記載された装置では、供給口から排出口まで折り込まれるべき表紙を装備した製本本の移送を案内する案内レールと、案内レールに沿って配置されて複数の製本本を所定の間隔を置いて所定距離だけ間欠的に押動せしめ得る送り装置と、案内レールに沿って設けられた製本本の表紙開き装置と、案内レールに沿い、表紙開き装置から排出口に向けて所定の間隔を置いて配置された製本本の小口裁断装置と、を備えている。
【０００４】
その作用を説明すると、製本本は、その背表紙を下にして供給口から間欠的に前進ストロークで供給され、表紙開き装置によってその表紙が左右に朝顔形に開かれる。送り装置は、その押圧板が製本本の下部を挟持し、製本本の朝顔形を維持させたまま、製本本を小口裁断装置に送る。小口裁断装置において、製本本は停止し、その押圧板が表紙を除く製本本の上部を挟持し、裁断刃が水平方向に移動して、製本本の小口部分を裁断する。かくして小口の裁断が終了すると、押圧板による押圧挟持は解除されて、送り装置は、小口の裁断された製本本を置いたまま戻り、次の製本本の送りの準備をし、小口の裁断された製本本は、次の前進ストロークで次の工程の装置へと送られるようになっている。
【０００５】
しかしながら、上記従来の装置では、その小口断裁のためには、製本本を一旦停止させて、全体として製本本を間欠的に送り出しているために、その作業性が悪く、高速に動作させることが困難であるという問題がある。
【０００６】
また、このような断裁工程の前段階である無線綴機による無線綴じ工程においては、折丁が丁合いされてなる本文の背を下側にして、その背部分を裁断し裁断後の背に糊を塗布して、表紙を接着することが一般的であり、その姿勢を維持したまま小口断裁部に供給されるために、上記従来の装置のように、製本本は背表紙を下にしたまま、小口の裁断を行うことが一般的となっている。しかしながら、その場合、裁断刃の裁断面は水平面となり、本の上端部を確実に垂直に保持することが困難であるために、その裁断面を綺麗に揃えることが困難であるという問題がある。また、裁断刃自体の耐久性も悪いという問題がある。
【０００７】
【特許文献１】特開２００２−１２７６３７号公報
【発明の開示】
【発明が解決しようとする課題】
【０００８】
本発明はかかる課題に鑑みなされたもので、その作業性を良好とし高速動作も可能となる製本用断裁機を提供することをその目的とする。さらに、本発明の他の目的は、裁断面を綺麗に仕上げることができ、裁断刃の耐久性を向上させることができる製本用断裁機を提供することである。
【課題を解決するための手段】
【０００９】
上記目的を達成するために、本発明のうち請求項１記載の発明は、供給された本を搬送する搬送部と、搬送部で搬送される本の裁断を行う裁断部とを有する製本用断裁機において、
前記裁断部は、本の搬送と一緒にその搬送方向に移動すると共に本に接近する移動部を備えて、移動部に本の裁断付近を押える押さえと、本の裁断を行う裁断刃とが取付けられて、本を搬送しながら押さえが本の裁断付近を押えると共に裁断刃が裁断を行うことを特徴とする。
【００１０】
請求項２記載の発明は、請求項１記載のものにおいて、前記搬送部が、本を水平方向に横臥した状態で水平方向に搬送しており、前記移動部は、本に上方から接近し、押さえが本を上方から押さえると共に裁断刃が下降して裁断を行うことを特徴とする。
【００１１】
請求項３記載の発明は、請求項２記載のものにおいて、前記裁断刃は揺動しながら下降することを特徴とする。
【００１２】
請求項４記載の発明は、請求項３記載の前記移動部が、本の搬送と一緒にその搬送方向に移動する水平移動部と、該水平移動部に対して相対的に鉛直方向に移動可能となって裁断刃及び押さえを下降させる上下移動部とからなり、水平移動部には裁断刃の移動を誘導するガイド部が固定されており、該ガイド部によって裁断刃が鉛直方向に対して角度を持って下降することを特徴とする。
【００１３】
請求項５記載の発明は、請求項２ないし４のいずれか１項に記載のものにおいて、前記本は本文に表紙が取り付けられており、前記裁断部の手前で表紙を開く表紙開き部がさらに設けられており、表紙開き部は、表表紙と裏表紙をそれぞれ上下に開き、前記裁断刃は本文の小口を裁断することを特徴とする。
【００１４】
請求項６記載の発明は、請求項５記載の前記表紙開き部が、本の搬送と共に移動する水平移動部を有しており、水平移動部には表表紙と裏表紙を吸引してそれぞれ本文から離反する方向に移動させる吸引部材が取付けられることを特徴とする。
【発明の効果】
【００１５】
本発明によれば、本の搬送を行いながら裁断処理を行うことができるために、処理速度を向上させて、短時間に効率的に大量の本を処理することができるようになる。
【００１６】
また、請求項２記載の発明によれば、本を水平方向に横臥した状態で水平方向に搬送しながら裁断部の押さえが本の裁断付近を上から押えるために、確実に押えることができ、且つ、裁断刃が下降して裁断を行うために、切れ味よく、切り口を綺麗にすることができる。
【００１７】
また、請求項３または４記載の発明によれば、裁断刃が、単に上下に移動するだけでなく揺動しながら裁断することになり、より切れ味を良好にし、且つ裁断刃の耐久性を向上させることができる。
【００１８】
また、請求項５記載の発明によれば、表紙開き部は、表表紙と裏表紙をそれぞれ上下に開くことで、裁断刃または押さえ分が表紙と干渉することなく、表紙以外の本文の小口を裁断することができるようになる。
【００１９】
また、請求項６記載の発明によれば、本の搬送を行いながら表紙開きを行うので、処理速度を向上させて、効率的に処理することができる。
【発明を実施するための最良の形態】
【００２０】
以下、図面を用いて本発明の実施の形態を説明する。
【００２１】
図１は本発明の製本用断裁機の実施形態を表す全体斜視図である。この例では、製本用断裁機として小口断裁機を例にとって説明し、この製本用断裁機は、本文に表紙がついた本の表紙以外の本文の小口切りを行うものとするが、このような小口切りに限らず、天地切り、雁垂れ用の前小口切り、スプリッタ等任意の製本用断裁機に適用することができる。
【００２２】
図において、製本用断裁機１０は、大まかに、基台１１と、供給部１２と、搬送部１４と、表紙開き部１６と、裁断部１８とを有している。
【００２３】
基台１１の下側には、図２に示すように駆動源となるモータ２０と、該モータ２０からの動力を各部へと伝達する伝達機構とを有する駆動部とが設置されている。
【００２４】
供給部１２は、前工程から供給された本が積層されると共に所定のトリガを受けて基台１１の待機位置２４上へと本を落下させるホッパー２２と、待機位置２４から１冊ずつ本を搬送部１４へと移動させる送り爪２６と、を備えている。図３に示すように、送り爪２６は、モータ２０からの駆動力によって回転するクランク円板２８と、クランク円板２８と反対回りに回転するカム３０と、カムフォロワー３２と、クランク円板２８に軸着されたクランクロッド３４とによって、基台１１の上面に沿って所定ストローク分だけ搬送部１４へと移動すると、基台１１の上面よりも下降して反搬送部１４に向かって戻り、基台１１に沿って往復動するようになっている。但し、送り爪２６の動作は、図示しないクラッチによって停止可能となっている。
【００２５】
搬送部１４は、基台１１の上面に長手方向に沿って形成された縦の溝に沿って配索されたチェーンコンベア４０を備えており、チェーンコンベア４０には、所定間隔ごとに押圧爪４２が取り付けられている。押圧爪４２は、水平方向に横臥した状態の本を水平方向に押圧して、基台１１の上面上を滑動させて、基台１１の長手方向に沿って供給部１２から表紙開き部１６を通り裁断部１８まで搬送する。
【００２６】
表紙開き部１６は、図４に示すように、水平移動組立体６０と、水平移動組立体６０の上部及び下部からそれぞれ水平に伸びる支持ロッド６２、６２に取付けられた吸引部材６４、６４と、基台１１に固定的な一対のガイド部材６６、６６及びバー部材６７、６７と、を備えている。水平移動組立体６０は、モータ２０からの駆動力によって回転するクランク円板６８と、クランク円板６８に軸着されたクランクロッド７０とによって、基台１１に沿って所定ストローク分だけ往復動するようになっている。
【００２７】
また、吸引部材６４、６４は、基台１１の上面に形成された切欠部１１ａ（図５参照）において互いに対向して上下に配置されている。上側の吸引部材６４は基台１１の上面よりも上方に、下側の吸引部材６４は基台１１の上面よりも下方に、配置される。吸引部材６４、６４は、図示しない真空源にバルブを介して連結されている。
【００２８】
一対のガイド部材６６、６６は、吸引部材６４の往復動ストロークの最も進行方向に向かった地点近傍において、上下に配置される。さらに、ガイド部材６６に連続してバー部材６７がガイド部材６６の近傍から基台１１の長手方向に伸長しており、上側のバー部材６７は基台１１の上面よりも上方に、下側のバー部材６７は基台１１の下面よりも下方に配置される。上側のバー部材６７は、以下に説明する裁断部１８の最後まで伸びている。これらの一対の吸引部材６４、６４と一対のガイド部材６６、６６及びバー部材６７、６７は、それぞれ基台１１の上面上を水平に滑動する本の表表紙と裏表紙との端部をそれぞれ上下に開いて本文から引き離すためのものである。
【００２９】
裁断部１８は、図６Ａ及び図６Ｂに示すように、基台１１を挟んで両側に上下に伸びる水平移動部８０と、水平移動部８０に上下方向にスライド可能に設けられた上下移動部８２とからなる移動部を有する。上下移動部８２には回転軸８４が軸支されており、回転軸８４からは一体的に一対の揺動アーム８６、８７が伸びている。また、水平移動部８０には、一方の揺動アーム８６の先端が摺動可能に嵌合するガイドレール８８が固定されている。他方の揺動アーム８７の先端には裁断刃９０が取付けられる。上下移動部８２には、裁断刃９０と平行に並んだ押さえ９２が連結されている。
【００３０】
水平移動部８０は、図７〜図１０に示すように、モータ２０からの駆動力によって回転するクランク円板９４と、クランク円板９４に軸着されたクランクロッド９５とによって、基台１１に沿って所定ストローク分だけ往復動するようになっている。さらに、図１１Ａ、Ｂまたは図６Ａ、Ｂに示すように、水平移動部８０には、基台１１の上面とほぼ同じ高さとなった受面を有する受部８０ａが設けられている。
【００３１】
また、上下移動部８２は、図８に示すように、モータ２０からの駆動力によって回転するクランク円板９６と、クランク円板９６に軸着されたクランクロッド９７とによって、上下方向に水平移動部８０に沿って所定ストローク分だけ往復動するようになっている。
【００３２】
以上のように構成される製本用断裁機１０の作用を説明する。
【００３３】
まず、供給部１２には、前工程から本が供給されて、順次ホッパー２２に積層される。この前工程においては、無線綴じ機において本文に対して表紙が取付けられており、表紙の端部は内側に折り込まれているが、ホッパー２２では、本は横向き、即ち水平方向に横臥した状態となって積層される。
【００３４】
好ましくは、前工程の本の供給速度に対して、製本用断裁機１０における搬送部１４による本の搬送速度及び裁断部１８による裁断速度は、若干速くなっているとよく、待機位置２４における本の数が所定数以下になると、送り爪２６の作動はクラッチにより切断されて、搬送部１４への供給を休止することにより、前工程との速度差を解消するようになっている。
【００３５】
待機位置２４における本の数が所定数以下になり、ホッパー２２に本が所定数積層されると、ホッパー２２が下方へと開き、本を待機位置２４へと落とし、送り爪２６が搬送部１４に同期して作動して、待機位置２４で積層された本のうちの最下方の本を供給部１４の方へと移動させる。
【００３６】
そして、本は搬送部１４のチェーンコンベア４０の押圧爪４２に押圧されて、表紙開き部１６へと移動する。表紙開き部１６では、本の供給のタイミングに一致して水平移動組立体６０が往復動しており、水平移動組立体６０に取付けられた吸引部材６４、６４が、供給された本の表表紙と裏表紙のそれぞれの端部を吸引して、本文から上下に引き離しながら、本と共に基台１１の進行方向をガイド部材６６、６６の所まで移動する。水平移動組立体６０は、ガイド部材６６まで本を誘導した後は、吸引部材６４、６４による吸引を解除し、基台１１に沿って進行方向と逆方向に移動して、次の押圧爪４２に押圧される本に対して、同様の表紙開きを行う。
【００３７】
ガイド部材６６、６６に連続するバー部材６７、６７は、進行方向に沿って基台１１の上面から上下に漸次離反しており且つ小口から漸次離反しており、本文から引き離された表表紙と裏表紙のそれぞれの端部は、バー部材６７、６７によって除々に本文から大きく引き離されていく。そして、最大限近くまで本文から引き離された状態で、搬送部１４の押圧爪４２に押圧されて、次の裁断部１８へと移動する。
【００３８】
裁断部１８では、本の供給のタイミングに一致して水平移動部８０が往復動しており、この水平移動と共に、上下移動部８２が水平移動部８０に沿って降下している。
【００３９】
チェーンコンベア４０の押圧爪４２によって移動する本は、本の移動と共に水平方向に移動する水平移動部８０の受部８０ａの上に乗り、裏表紙は受部８０ａの下側になる。そして、上下移動部８２に取付けられた押さえ９２が降下して本に接近し、受部８０ａ上にある本文の小口付近を上方から押圧して確実に押える（図１１Ｂ参照）。さらに、上下移動部８２に軸支された回転軸８４に設けられた揺動アーム８６、８７も一緒に下降して、揺動アーム８７に取付けられた裁断刃９０も上から下に向かって移動する。このときに、一方の揺動アーム８６の先端はガイドレール８８に嵌合しており、ガイドレール８８は垂直軸に対して角度を持って傾斜しており且つ上下動しないため、一方の揺動アーム８６はガイドレール８８に沿って揺動しながら下降することになる（図９参照）。これにより回転軸８４が回転し、他方の揺動アーム８７に取付けられた裁断刃９０も同様の揺動、即ちスウィングしながら下降して、本文の小口を裁断する（図１０参照）。尚、裁断刃９０が本に接触する直前に、押さえ９２は本文の小口付近を押圧している。
【００４０】
裁断時にも、本の表紙は、バー部材６６及び受部８０ａによって最大限近く本文から引き離された状態を維持するため、押さえ９２や裁断刃９０が表紙と干渉することはない。
【００４１】
上側のバー部材６７は、裁断部１８の裁断位置付近で終了しており、ガイド部材６７からの規制が無くなった表表紙及び、前記受部８０ａから離反した裏表紙は、それぞれそれ自身の弾性によって元の状態に戻る。
【００４２】
このように、本製本用断裁機１０は、表紙開き部１６及び裁断部１８における動作を全て本を搬送しながら行うために、その処理速度を従来に比べて格段に向上させることができる。また、裁断方向は、水平方向ではなく、裁断刃９０は上から下へと移動して裁断を行うために、切れ味よく、切り口を綺麗にすることができる。さらには、裁断刃９０は、単に上下に移動するだけでなく、揺動しながら裁断するために、より切れ味を良好にし、且つ裁断刃９０の耐久性を向上させることができる。
【図面の簡単な説明】
【００４３】
【図１】本発明の製本用断裁機の実施形態を表す全体斜視図である。
【図２】本発明の製本用断裁機の基台、搬送部及び駆動部を表す側面図である。
【図３】本発明の製本用断裁機の供給部を表す側面図である。
【図４】本発明の製本用断裁機の表紙開き部を表す側面図である。
【図５】本発明の製本用断裁機の表紙開き部の上前方から見た斜視図である。
【図６Ａ】本発明の製本用断裁機の裁断部の要部斜視図である。
【図６Ｂ】本発明の製本用断裁機の裁断部の要部斜視図である。
【図７】本発明の製本用断裁機の裁断部の平面図である。
【図８】本発明の製本用断裁機の裁断部の側面図である。
【図９】図７の裁断部の一方の揺動アームの動作を表す側面図である。
【図１０】図７の裁断部の他方の揺動アームと裁断刃の動作を表す側面図である。
【図１１Ａ】本発明の製本用断裁機の裁断部の主要部の後方から見た断面図であり、裁断前を表す。
【図１１Ｂ】本発明の製本用断裁機の裁断部の主要部の後方から見た断面図であり、裁断中を表す。
【符号の説明】
【００４４】
１０  製本用断裁機
１４  搬送部
１６  表紙開き部
１８  裁断部
６０  水平移動組立体（水平移動部）
６４  吸引部材
８０  水平移動部（移動部）
８２  上下移動部（移動部）
８８  ガイドレール（ガイド部）
９０  裁断刃
９２  押さえ
【図１】
2005219168.tif 000003
【図２】
2005219168.tif 000004
【図３】
2005219168.tif 000005
【図４】
2005219168.tif 000006
【図５】
2005219168.tif 000007
【図６Ａ】
2005219168.tif 000008
【図６Ｂ】
2005219168.tif 000009
【図７】
2005219168.tif 000010
【図８】
2005219168.tif 000011
【図９】
2005219168.tif 000012
【図１０】
2005219168.tif 000013
【図１１Ａ】
2005219168.tif 000014
【図１１Ｂ】
2005219168.tif 000015